(57)【要約】【課題】ゴミ容積を大幅に縮小して、保管性及び運搬性等の著しい改善を図るとともに、作業工数及びランニングコストの大幅な削減を実現する。【解決手段】筒型に形成し、一端面を開放して押出口２ｏを設け、かつ周面にゴミ供給口２ｉを設けた袋詰ドラム２と、ゴミ供給口２ｉに付設したホッパ３と、押出口２ｏにゴミ袋Ｅの口部Ｅｏを装着可能な袋着脱部４と、袋詰ドラム２の内部に配した押出スクリュ５と、この押出スクリュ５を回転させる回転駆動部６とを具備する。ホッパ３は、ゴミ類Ｄを軽量ゴミＤｓと重量ゴミＤｗａ，Ｄｗｂに分離する分離機３０における軽量ゴミＤｓを排出する軽量ゴミ排出口３５ｓに連通接続する形状に形成できる。【選択図】図１
2004351253.tif 000002
【特許請求の範囲】
【請求項１】
筒型に形成し、一端面を開放して押出口を設け、かつ周面にゴミ供給口を設けた袋詰ドラムと、前記ゴミ供給口に付設したホッパと、前記押出口にゴミ袋の口部を装着可能な袋着脱部と、前記袋詰ドラムの内部に配した押出スクリュと、この押出スクリュを回転させる回転駆動部とを具備することを特徴とするゴミ袋詰機。
【請求項２】
前記袋詰ドラムは、周面上部に空気排出部を有することを特徴とする請求項１記載のゴミ袋詰機。
【請求項３】
前記袋着脱部は、前記ゴミ袋に差し通す先端尖形のピン部と、前記ゴミ袋を把持又は把持解除するロック部を有することを特徴とする請求項１記載のゴミ袋詰機。
【請求項４】
底面に複数の自在キャスタを有する移動自在の移動台を備えることを特徴とする請求項１記載のゴミ袋詰機。
【請求項５】
前記ホッパは、ゴミ類を軽量ゴミと重量ゴミに分離する分離機における前記軽量ゴミを排出する軽量ゴミ排出口に連通接続する形状に形成することを特徴とする請求項１記載のゴミ袋詰機。
【請求項６】
前記分離機は、横置した分離ドラムと、この分離ドラムの内部に配設し、かつ回転シャフトから放射方向に突出した複数のインペラを有するインペラ輪を具備し、前記分離ドラムの上流側に設けたゴミ投入口に投入されるゴミ類を、回転する前記インペラ輪により軽量ゴミと重量ゴミに分離し、軽量ゴミを前記分離ドラムの下流側に設けた軽量ゴミ排出口から排出するとともに、重量ゴミを前記分離ドラムの下部面に設けた多数のメッシュ孔を有する重量ゴミ排出口から排出することを特徴とする請求項５記載のゴミ袋詰機。
【発明の詳細な説明】
【０００１】
【発明の属する技術分野】
本発明は、分離機等から排出される軽量ゴミを袋詰めする際に用いて好適なゴミ袋詰機に関する。
【０００２】
【従来の技術】
一般に、期限切れ食品等は包装ゴミと生ゴミに分離し、それぞれ別々にリサイクル或いは焼却等を行っている。しかし、包装ゴミと生ゴミの分離作業は、大変な労力と時間を要するため、本出願人は、既に、特開２０００−１６７４２６号公報により、包装ゴミ（軽量ゴミ）と生ゴミ（重量ゴミ）を分離する際に用いて好適な分離機を提案した。
【０００３】
この分離機は、横置ドラム形のハウジングの上部に、内周面の螺旋方向に沿った複数の整流板と螺旋方向の前方に配した排出口を設け、かつハウジングの下部面に、多数のメッシュ孔を設けるとともに、ハウジングの内部に、シャフトから放射方向に突出した複数のインペラを有するインペラ輪を配設し、このインペラ輪を回転させることにより、ハウジング内の被処理物から分離した軽量ゴミを排出口から排出し、かつ分離した重量ゴミをメッシュ孔から排出するもので、被処理物を軽量ゴミと重量ゴミに自動で分離できる。
【特許文献１】
特開２０００−１６７４２６号公報
【０００４】
【発明が解決しようとする課題】
ところで、この種の分離機は、期限切れ食品等（ゴミ類）を包装ゴミと生ゴミに分離するものであり、分離された包装ゴミ（軽量ゴミ）は、包装紙，樹脂性のゴミ袋やフィルム，発泡スチロール等のシート状の軽量物がほとんどである。このため、排出口から排出される軽量ゴミをゴミ袋に収容しても、かなりかさ張るものとなり、結局、かさ張ることに伴う不具合、即ち、ゴミ容積が大きくなり、保管や運搬等において著しく不利になるとともに、ゴミ袋の頻繁な取替による作業工数の増加やランニングコストの上昇などを招く問題があった。
【０００５】
本発明は、このような従来の技術に存在する課題を解決したものであり、ゴミ容積の大幅な縮小により、保管性及び運搬性等の著しい改善を図ることができるとともに、作業工数及びランニングコストの大幅な削減を実現できるゴミ袋詰機の提供を目的とする。
【０００６】
【課題を解決するための手段及び実施の形態】
本発明に係るゴミ袋詰機１は、筒型に形成し、一端面を開放して押出口２ｏを設け、かつ周面にゴミ供給口２ｉを設けた袋詰ドラム２と、ゴミ供給口２ｉに付設したホッパ３と、押出口２ｏにゴミ袋Ｅの口部Ｅｏを装着可能な袋着脱部４と、袋詰ドラム２の内部に配した押出スクリュ５と、この押出スクリュ５を回転させる回転駆動部６とを具備することを特徴とする。
【０００７】
この場合、好適な実施の形態により、袋詰ドラム２の周面上部には、空気排出部１１を設けることができる。また、袋着脱部４は、ゴミ袋Ｅに差し通す先端尖形のピン部１２と、ゴミ袋Ｅを把持又は把持解除するロック部１３により構成できる。さらに、ゴミ袋詰機１には、底面に複数の自在キャスタ１５…を有する移動自在の移動台１４を設けることが望ましい。一方、ホッパ３は、ゴミ類Ｄを軽量ゴミＤｓと重量ゴミＤｗａ，Ｄｗｂに分離する分離機３０における軽量ゴミＤｓを排出する軽量ゴミ排出口３５ｓに連通接続する形状に形成することができる。また、分離機３０は、横置した分離ドラム３１と、この分離ドラム３１の内部に配設し、かつ回転シャフト３２から放射方向に突出した複数のインペラ３３ｉ…を有するインペラ輪３３を具備し、分離ドラム３１の上流側に設けたゴミ投入口３４に投入されるゴミ類Ｄを、回転するインペラ輪３３により軽量ゴミＤｓと重量ゴミＤｗａ，Ｄｗｂに分離し、軽量ゴミＤｓを分離ドラム３１の下流側に設けた軽量ゴミ排出口３５ｓから排出するとともに、重量ゴミＤｗａ，Ｄｗｂを分離ドラム３１の下部面に設けた多数のメッシュ孔Ｈａ…，Ｈｂ…を有する重量ゴミ排出口３５ｗから排出する構成を採用できる。
【０００８】
これにより、袋詰ドラム２では、回転駆動部６により押出スクリュ５が回転するとともに、袋詰ドラム２の押出口２ｏには、ゴミ袋Ｅの口部Ｅｏが袋着脱部４により装着される。したがって、軽量ゴミＤｓをホッパ３に投入すれば、ゴミ供給口２ｉを介して袋詰ドラム２の内部に供給される。袋詰ドラム２内の軽量ゴミＤｓは、押出スクリュ５の回転により押出口２ｏ側に移送され、押出口２ｏから押出される。また、押出口２ｏから押出された軽量ゴミＤｓは、ゴミ袋Ｅに収容されるとともに、ゴミ袋Ｅが一杯になった後も、押出スクリュ５により押込まれるため、ゴミ袋Ｅ内の軽量ゴミＥｓは押出スクリュ５により加圧され、圧縮状態でゴミ袋Ｅに詰め込まれる。
【０００９】
【実施例】
以下には本発明に係る好適な実施例を挙げ、図面に基づき詳細に説明する。
【００１０】
まず、本実施例に係るゴミ袋詰機１の全体構成について、図１〜図３を参照して説明する。
【００１１】
ゴミ袋詰機１は、底面に複数の自在キャスタ１５…を有する移動自在の移動台１４を備える。本実施例に係るゴミ袋詰機１は、このような移動台１４を備えるため、容易に移動でき、必要に応じて任意の分離機で使用できるなど、汎用性を有している。そして、移動台１４の上面における前側には、図１及び図２に示す左右一対の取付板２１ｐ，２１ｑを起設し、この取付板２１ｐ，２１ｑにより筒型に形成した袋詰ドラム２を支持する。この場合、袋詰ドラム２は、図１に示すように、前下がりに傾斜させて設置する。
【００１２】
袋詰ドラム２は、一端面（前端面）の全面を開放して押出口２ｏを設けるとともに、周面には矩形に開口したゴミ供給口２ｉを設ける。なお、袋詰ドラム２の他端は、端面部２ｃにより閉塞する。また、ゴミ供給口２ｉには、図２に示すように、ホッパ３を付設する。このホッパ３は、後述する分離機３０に備える軽量ゴミ排出口３５ｓに連通接続する。したがって、図２及び後述する図６に示すように、ホッパ３における上端の開口形状は、軽量ゴミ排出口３５ｓに付設したフード５４の下端の開口形状に略一致させる。
【００１３】
さらに、袋詰ドラム２の周面上部であって、押出口２ｏ付近には空気排出部１１を設ける。空気排出部１１は、袋詰ドラム２の周面に、複数の小孔を形成することにより設けることができる。このような空気排出部１１を設けることにより、空気（送風）の出口が確保される。即ち、後述する分離機３０では、内部で軽量ゴミＤｓを能率的に分離するため、かなりの送風が発生する。この送風は、軽量ゴミ排出口３５ｓから外部に排出されるが、ゴミ袋詰機１のホッパ３を軽量ゴミ排出口３５ｓに接続した際には、袋詰ドラム２の内部に送風されることになる。したがって、空気排出部１１を設ければ、袋詰及びゴミ圧縮に影響を与えることなく分離機３０側の送風を逃がすことができる。
【００１４】
一方、押出口２ｏにはゴミ袋Ｅの口部Ｅｏを装着可能な袋着脱部４を設ける。袋着脱部４は、図３に示すように、ゴミ袋Ｅに差し通す先端尖形のピン部１２と、ゴミ袋Ｅを把持又は把持解除するロック部１３により構成する。図３は、一つのピン部１２と一つのロック部１３を示すが、それぞれ複数位置に設けてもよい。ロック部１３は、袋詰ドラム２の周面から突出したラッチ部２２と、このラッチ部２２に掛止可能なフック部２３と、このフック部２３を回動自在に支持し、かつ袋詰ドラム２の周面に取付けたブラケットにより回動自在に支持されるレバー部２４を有する公知の着脱金具の構造を利用できる。したがって、レバー部２４を図３に示す仮想線のように回動変位させ、ラッチ部２２とフック部２３の係止を解除した状態でラッチ部２２とフック部２３間にゴミ袋Ｅの口部Ｅｏを介在させるとともに、この後、ラッチ部２２にフック部２３を掛け、レバー部２４を図３に示す実線のように回動変位させれば、ロック部１３により、ゴミ袋Ｅの口部Ｅｏを把持することができる。このような比較的単純な構成の袋着脱部４を採用することにより、ゴミ袋Ｅの着脱を容易かつ確実に行うことができるとともに、低コストに実施可能である。
【００１５】
他方、移動台１４の上面であって、後側には図１に示すモータ支持台２５を設置し、このモータ支持台２５の上面に、駆動モータ（ギアモータ）を用いた回転駆動部６を支持する。この場合、モータ支持台２５の上面は、袋詰ドラム２の傾斜角に一致するように傾斜形成する。また、袋詰ドラム２の内部には、回転シャフト５ｓを有する押出スクリュ５を収容し、この回転シャフト５ｓの一端（後端）側は、袋詰ドラム２における端面部２ｃの中央に設けた軸受部２８により回動自在に支持する。そして、軸受部２８から外部に突出した回転シャフト５ｓの端部は、回転駆動部６における回転シャフトの先端に結合する。
【００１６】
次に、このようなゴミ袋詰機１を用いて好適な分離機３０の構成について、図４〜図６を参照して説明する。
【００１７】
分離機３０は、横置した分離ドラム３１を備え、この分離ドラム３１は複数の脚部５１…により一定の高さに支持される。分離ドラム３１の上流側端面には、分離するゴミ類Ｄを投入するゴミ投入口３４を設け、このゴミ投入口３４にはホッパ５２を付設する。ホッパ５２は、外面にゴミ類Ｄを供給する供給口５２ｉを有するとともに、内部には供給されたゴミ類Ｄを供給口５２ｉからゴミ投入口３４まで導く傾斜した投入ガイド５２ｓを有する。なお、５３は供給口５２ｉに吊下げたゴムシートによる暖簾部である。他方、分離ドラム３１の下流側端面の近傍に位置する周面部の上部には分離した軽量ゴミＤｓを排出する軽量ゴミ排出口３５ｓを設け、この軽量ゴミ排出口５２ｓには、下方を向いた開口を有する図５及び図６に示すフード５４を付設する。
【００１８】
また、分離ドラム３１の周面部の下部面には、多数のメッシュ孔Ｈａ…，Ｈｂ…を有する重量ゴミ排出口３５ｗを設ける。具体的には、図５に拡大抽出図で示すように、多数の小円孔が配列するパンチングボードにより形成する。この場合、下部面は、上流側と下流側に二分し、上流側には比較的径の小さいメッシュ孔Ｈａ…を形成するとともに、下流側には比較的径の大きいメッシュ孔Ｈｂ…を形成する。これにより、比較的小さく分離しやすい重量ゴミＤｗａはメッシュ孔Ｈａ…から排出され、比較的大きく分離しにくい重量ゴミＤｗｂはメッシュ孔Ｈｂ…から排出され、重量ゴミＤｗａ，Ｄｗｂの種類に応じた更なる分離を行うことができる。なお、Ｃａ，Ｃｂは、それぞれメッシュ孔Ｈａ…，Ｈｂ…の下方に配した重量ゴミＤｗａ，Ｄｗｂの回収コンテナを示す。
【００１９】
一方、分離ドラム３１の内部にはインペラ輪３３を配設する。インペラ輪３３は、分離ドラム３１の両端面に、両端側を回動自在に支持される回転シャフト３２を有するとともに、この回転シャフト３２から放射方向に突出する四枚のインペラ３３ｉ…を有する。各インペラ３３ｉ…は、長方形の平板部材により形成し、かつ上流側（ゴミ投入口３４側）の短辺はそれぞれ所定角度で傾斜させて形成するとともに、径方向先端縁にはインペラゴム５５…を取付ける。
【００２０】
そして、各インペラ３３ｉ…の相互間には複数の補強板５６…を取付ける。各補強板５６…は、各インペラ３３ｉ…に対して所定角度で傾斜させて取付けることにより、補強板５６…に、インペラ輪３３を回転させた際に軽量ゴミ排出口３５ｓ側へ送風する送風フィンを兼用させている。これにより、各補強板５６…は、インペラ３３ｉ…の曲げを防止し、かつインペラ輪３３全体の剛性（強度）を高める本来の補強板５６…として機能するとともに、分離ドラム３１の内部全体を効果的に送風する送風フィンとして機能する。また、上流側（ゴミ投入口３４側）における分離ドラム３１の下部隅部には、この下部隅部を覆う所定角度で傾斜した傾斜板５７を配設する。これにより、ゴミ類Ｄが下部隅部の空間に滞留する不具合を回避することができる。
【００２１】
さらに、分離ドラム３１の内部であって、インペラ輪３３の回転を妨げない上部の内周面には、複数の整流板５８…を設ける。各整流板５８…は、図６に示すように、三日月形に形成し、内周面の螺旋方向に沿った方向に設けるとともに、分離ドラム３１の軸方向へ所定間隔置きに配する。そして、この整流板５８…の所定位置には、一又は二以上のカッタ５９…を取付ける。このカッタ５９…により、厚めのポリエチレン製袋，ボール紙，段ボール等も容易にカッティングできるとともに、パック商品や袋入スープ等の液状物をより確実に排出させることができる。
【００２２】
他方、回転シャフト３２の一端は、分離ドラム３１における下流側端面から外方に突出させ、先端に被動ギアを取付けるとともに、図４に示すように、分離ドラム３１の上面に駆動モータ（ギアモータ）を用いた回転駆動部６０を固定し、この回転駆動部６０の回転軸に取付けた駆動ギアと被動ギア間にチェーンベルトを架け渡して回転伝達部６１を構成する。
【００２３】
次に、本実施例に係るゴミ袋詰機１及び分離機３０の使用方法及び動作（機能）について、各図を参照して説明する。
【００２４】
まず、ゴミ袋詰機１は、移動自在の移動台１４を備えるため、分離機３０まで移動させ、分離機３０の隣りに併設する。この場合、図２及び図６に示すように、分離機３０に備えるフード５４の下端に、ゴミ袋詰機１におけるホッパ３の上端を対向させる。これにより、フード５４の下端における開口形状と、ホッパ３の上端における開口形状は略一致するため、フード５４を付設した軽量ゴミ排出口３５ｓとホッパ３を付設したゴミ供給口２ｉが連通接続される。このように、ゴミ袋詰機１は、必要に応じて異なる分離機３０…で使用することができ、汎用性に優れる。
【００２５】
また、合成樹脂製のゴミ袋Ｅ、望ましくは透明なゴミ袋Ｅを用意し、袋詰ドラム２の押出口２ｏに、口部Ｅｏを袋着脱部４により装着する。この場合、まず、図３に示すように、口部Ｅｏの任意の位置にピン部１２を差し通す。次いで、レバー部２４を仮想線のように回動変位させ、ラッチ部２２とフック部２３の係止を解除した状態でラッチ部２２とフック部２３間に口部Ｅｏの他の部位を介在させるとともに、この後、ラッチ部２２にフック部２３を掛け、レバー部２４を図３に示す実線のように回動変位させる。これにより、ゴミ袋Ｅの口部Ｅｏは、ロック部１３により把持される。
【００２６】
そして、不図示の電源スイッチをＯＮにしてゴミ袋詰機１と分離機３０を作動させる。これにより、回転駆動部（駆動モータ）６０及び６が作動する。回転駆動部６０の作動により、インペラ輪３３は、概ね６００〔ｒｐｍ〕程度の回転速度で回転する。インペラ輪３３の回転方向は、図６中矢印Ｒ方向となる。インペラ輪３３（インペラ３３ｉ…）の回転により、分離ドラム３１の内部では送風が発生する。この送風は整流板５８…の整流作用により螺旋状になる。また、この送風に加えて、送風フィンを兼用する補強板５６…により、軽量ゴミ排出口３５ｓ側への送風、即ち、分離ドラム３１の内部の全体を通して軽量ゴミ排出口３５ｓ側に向かう送風が発生し、分離ドラム３１の内部には、インペラ３３ｉ…の回転及び整流板５８…の整流による送風に対して、この補強板５６…による送風が加わった送風が発生する。
【００２７】
一方、期限切れ食品等のゴミ類Ｄをホッパ５２の供給口５２ｉに供給する。この場合の供給は、作業者による投入であってもよいし、ベルトコンベア等による供給であってもよい。これにより、供給されたゴミ類Ｄは、分離ドラム３１の上流側端面に設けたゴミ投入口３４から分離ドラム３１の内部に供給され、回転するインペラ輪３３とカッタ５９…により粉砕及びカッティングされる。
【００２８】
そして、包装ゴミ等の軽量ゴミＤｓは、送風により、軽量ゴミ排出口３５ｓまで運ばれ、軽量ゴミ排出口３５ｓから外部に排出される。軽量ゴミ排出口３５ｓから排出される軽量ゴミＤｓは、フード５４を通り、本実施例に係るゴミ袋詰機１のホッパ３に供給されるとともに、さらに、このホッパ３からゴミ供給口２ｉを介して袋詰ドラム２の内部に供給される。なお、この場合、上述したように、分離ドラム３１の内部には、インペラ３３ｉ…の回転及び整流板５８…の整流による送風に対して、この補強板５６…による送風が加わった送風、即ち、全体を通して軽量ゴミ排出口３５ｓ側に向かう強い送風が発生するため、軽量ゴミＤｓは、効率的に軽量ゴミ排出口３５ｓ、更にはゴミ袋詰機１の内部まで運ばれ、重量ゴミＤｗａ，Ｄｗｂへの混入が回避される。また、送風は、ゴミ袋詰機１側に設けた空気排出部１１から外部に排出される。
【００２９】
他方、袋詰ドラム２では、回転駆動部６により押出スクリュ５が回転している。この回転速度は、概ね６０〔ｒｐｍ〕程度である。この結果、袋詰ドラム２内の軽量ゴミＤｓは、押出スクリュ５の回転により押出口２ｏ側へ移送されるとともに、この押出口２ｏから押出され、ゴミ袋Ｅの中に収容される。そして、ゴミ袋Ｅが一杯になった後も、さらに、押出スクリュ５により軽量ゴミＤｓが押し込まれるため、ゴミ袋Ｅ内の軽量ゴミＤｓは、押出スクリュ５により加圧されることになり、軽量ゴミＤｓは、圧縮した状態でゴミ袋Ｅに詰め込まれる。
【００３０】
なお、生ゴミ等の重量ゴミＤｗａ，Ｄｗｂは、回転するインペラ３３ｉ…の先端に設けたインペラゴム２５…によりメッシュ孔Ｈａ…，Ｈｂ…を通して外部に排出（押出）される。排出された重量ゴミＤｗａ，Ｄｗｂは、それぞれ回収コンテナＣａ，Ｃｂにより回収される。
【００３１】
このような本実施例に係るゴミ袋詰機１を使用して袋詰めした結果、ゴミ袋詰機１の使用無しに袋詰めした場合に比べて、容量比で、概ね３〜５倍収容することができた。このように、分離機３０から排出される軽量ゴミ（包装ゴミ）Ｄｓを、かさ張ること無しに袋詰めできるため、かさ張ることに伴う不具合を解消、即ち、ゴミ容積が大幅に縮小され、保管性及び運搬性等の著しい改善を図れるとともに、ゴミ袋の取替が少なくなり、作業工数及びランニングコストの大幅な削減を実現できる。
【００３２】
また、本実施例で使用した分離機３０は、インペラ３３ｉ…の回転及び整流板５８…の整流による送風に対して、補強板５６…による送風が加わった送風、即ち、全体を通して軽量ゴミ排出口３５ｓ側に向かう強い送風が発生するため、軽量ゴミＤｓは、効率的に軽量ゴミ排出口３５ｓまで運ばれる。この結果、重量ゴミＤｗａ，Ｄｗｂへの混入が回避され、分離される生ゴミＤｗａ，Ｄｗｂの純度は飛躍的に高められる。具体的には、補強板５６…を傾斜させない場合の純度が概ね９９．６パーセントであるのに対して、補強板５６…を傾斜させた本実施例に係る分離機３０の場合には、概ね９９．９パーセントの純度を確保でき、０．３パーセントの改善が図られる。
【００３３】
以上、実施例について詳細に説明したが、本発明はこのような実施例に限定されるものではなく、細部の構成，形状，材料，部品，数量等において、本発明の要旨を逸脱しない範囲で任意に変更，追加，削除することができる。例えば、ゴミ袋Ｅは、柔軟性を有する合成樹脂製のゴミ袋を例示したが、本発明におけるゴミ袋は、このような一般概念の袋のみならず、剛性を有する硬質のカプセルや容器等も含む概念である。また、実施例のゴミ袋詰機１は、移動自在の移動台１４を備え、分離機３０に対して着脱できる構成を例示したが、必要により分離機３０に対して一体に設けてもよい。この場合、移動台１４は不要となる。さらに、袋着脱部４は、ゴミ袋Ｅに差し通す先端尖形のピン部１２と、ゴミ袋Ｅを把持又は把持解除するロック部１３を用いた場合を例示したが、同様の機能を有する任意の構成を採用できる。なお、ゴミ袋詰機１は、例示した分離機３０から排出される軽量ゴミＤｓの袋詰めに用いて好適であるが、勿論単独でも用いることもできる。
【００３４】
【発明の効果】
このように、本発明は、筒型に形成し、一端面を開放して押出口を設け、かつ周面にゴミ供給口を設けた袋詰ドラムと、ゴミ供給口に付設したホッパと、押出口にゴミ袋の口部を装着可能な袋着脱部と、袋詰ドラムの内部に配した押出スクリュと、この押出スクリュを回転させる回転駆動部とを具備するため、次のような顕著な効果を奏する。
【００３５】
（１）  ゴミ容積を大幅に縮小して、かさ張ることに伴う不具合を解消、具体的には、保管性及び運搬性等の著しい改善を図ることができるとともに、ゴミ袋の取替を少なくして作業工数及びランニングコストの大幅な削減を実現することができ、特に、ゴミ類を軽量ゴミと重量ゴミに分離する分離機に用いて最適である。
【００３６】
（２）  好適な実施の形態により、袋詰ドラムの周面上部に、空気排出部を設ければ、袋詰及びゴミ圧縮に影響を与えることなく分離機側の送風を逃がすことができる。
【００３７】
（３）  好適な実施の形態により、袋着脱部に、ゴミ袋に差し通す先端尖形のピン部と、ゴミ袋を把持又は把持解除するロック部を用いれば、比較的単純な構成により、ゴミ袋の着脱を容易かつ確実に行うことができるとともに、低コストに実施できる。
【００３８】
（４）  好適な実施の形態により、底面に複数の自在キャスタを有する移動自在の移動台を備えて構成すれば、容易に移動でき、必要に応じて任意の分離機で使用できるなど、汎用性に優れる。
【図面の簡単な説明】
【図１】本発明の好適な実施例に係るゴミ袋詰機の断面側面図、
【図２】同ゴミ袋詰機の一部を示す断面背面図、
【図３】同ゴミ袋詰機における袋着脱部を明示する構成図、
【図４】同ゴミ袋詰機を用いて好適な分離機の断面側面図、
【図５】同分離機の一部を示しかつ拡大抽出図を含む外観側面図、
【図６】同分離機の断面正面図、
【符号の説明】
１        ゴミ袋詰機
２        袋詰ドラム
２ｏ      押出口
２ｉ      ゴミ供給口
３        ホッパ
４        袋着脱部
５        押出スクリュ
６        回転駆動部
１１      空気排出部
１２      ピン部
１３      ロック部
１４      移動台
１５…    自在キャスタ
３０      分離機
３１      分離ドラム
３２      回転シャフト
３３      インペラ輪
３３ｉ…  インペラ
３４      ゴミ投入口
３５ｓ    軽量ゴミ排出口
３５ｗ    重量ゴミ排出口
Ｄ        ゴミ類
Ｄｓ      軽量ゴミ
Ｄｗａ    重量ゴミ
Ｄｗｂ    重量ゴミ
Ｅ        ゴミ袋
Ｅｏ      口部
Ｈａ…    メッシュ孔
Ｈｂ…    メッシュ孔
【図１】
2004351253.tif 000003
【図２】
2004351253.tif 000004
【図３】
2004351253.tif 000005
【図４】
2004351253.tif 000006
【図５】
2004351253.tif 000007
【図６】
2004351253.tif 000008